(57)【要約】  クロスキャリアスケジューリング方法及び装置並びにその関連する端末、基地局及びシステムが開示される。前記クロスキャリアスケジューリング方法は、クロスキャリアスケジューリングに関与するコンポーネントキャリアの数に基づいて、コンポーネントキャリアに対応するフレーム中の制御情報伝送用の制御部のサイズを調整し、調整後の制御部によりクロスキャリアスケジューリングを行うことを含む。本発明よれば、クロスキャリアスケジューリングに関与するコンポーネントキャリアの数の増加に適応することでき、これにより、制御情報伝送用のリソースがないことによるブロッキングを避けることができる。
2013539306.tif 000002
【特許請求の範囲】
【請求項１】
クロスキャリアスケジューリング方法であって、
クロスキャリアスケジューリングに関与するコンポーネントキャリアの数に基づいて、コンポーネントキャリアに対応するフレーム中の制御情報伝送用の制御部のサイズを調整し、
調整後の制御部により、クロスキャリアスケジューリングを行うことを含む、方法。
【請求項２】
請求項1に記載の方法であって、
コンポーネントキャリアに対応するフレーム中の制御情報伝送用の制御部のサイズを調整する処理は、
プライマリコンポーネントキャリアに対応するフレーム中の制御情報伝送用の制御シンボルの数を増加させることを含む、方法。
【請求項３】
請求項2に記載の方法であって、
プライマリコンポーネントキャリアに対応するフレーム中の制御情報伝送用の制御シンボルの数は3より大きい数まで増加する、方法。
【請求項４】
請求項2に記載の方法であって、
コンポーネントキャリアに対応するフレーム中の制御情報伝送用の制御部のサイズを調整する処理は、
セカンダリコンポーネントキャリアに対応するフレーム中の制御情報伝送用の制御シンボルの数をそれ相応に減少させることを更に含む、方法。
【請求項５】
請求項4に記載の方法であって、
セカンダリコンポーネントキャリアに対応するフレーム中の制御情報伝送用の制御シンボルの数をそれ相応に減少させる処理は、
セカンダリコンポーネントキャリアに対応するフレームのうちの１つ又は複数のフレームが制御シンボルを含まないように、セカンダリコンポーネントキャリアに対応するフレーム中の制御情報伝送用の制御シンボルの数を減少させることを更に含む、方法。
【請求項６】
請求項2に記載の方法であって、
プライマリコンポーネントキャリアに対応するフレーム中の制御情報伝送用の制御シンボルの数に基づいて、物理制御フォーマット指示チャネルを配置することを更に含む、方法。
【請求項７】
請求項6に記載の方法であって、
物理制御フォーマット指示チャネルを配置する処理は、
物理制御フォーマット指示チャネルにおける、制御シンボルの数を示すためのビット数を調整することを含む、方法。
【請求項８】
請求項6に記載の方法であって、
物理制御フォーマット指示チャネルを調整する処理は、
物理制御フォーマット指示チャネルの、制御シンボルの数に関する指示範囲を調整することを含む、方法。
【請求項９】
請求項1に記載の方法であって、
コンポーネントキャリアに対応するフレーム中の制御情報伝送用の制御部のサイズを調整する処理は、
プライマリコンポーネントキャリアに対応するフレーム中の制御情報伝送用の制御シンボルの数を増加させ、該フレームに、制御情報伝送用の制御シンボルのみを含めさせることを含む、方法。
【請求項１０】
請求項9に記載の方法であって、
コンポーネントキャリアに対応するフレーム中の制御情報伝送用の制御部のサイズを調整する処理は、
セカンダリコンポーネントキャリアに対応するフレーム中の制御情報伝送用の制御シンボルの数をそれ相応に減少させることを更に含む、方法。
【請求項１１】
請求項10に記載の方法であって、
セカンダリコンポーネントキャリアに対応するフレーム中の制御情報伝送用の制御シンボルの数をそれ相応に減少させる処理は、
セカンダリコンポーネントキャリアに対応するフレームのうちの１つ又は複数のフレームが制御シンボルを含まないように、セカンダリコンポーネントキャリアに対応するフレーム中の制御情報伝送用の制御シンボルの数を減少させることを更に含む、方法。
【請求項１２】
請求項9に記載の方法であって、
物理制御フォーマット指示チャネルにおける、制御シンボルの数を示すための部分が占用するリソースをリリースすることを更に含む、方法。
【請求項１３】
クロスキャリアスケジューリング装置であって、
クロスキャリアスケジューリングに関与するコンポーネントキャリアの数に基づいて、コンポーネントキャリアに対応するフレーム中の制御情報伝送用の制御部のサイズを調整する制御部調整部と、
調整後の制御部により、クロスキャリアスケジューリングを行うスケジューリング部と、を含む、装置。
【請求項１４】
請求項13に記載の装置であって、
前記制御部調整部は、プライマリコンポーネントキャリアに対応するフレーム中の制御情報伝送用の制御シンボルの数を増加させる増加部を含む、装置。
【請求項１５】
請求項14に記載の装置であって、
増加部は、プライマリコンポーネントキャリアに対応するフレーム中の制御情報伝送用の制御シンボルの数を3より大きい数まで増加させる、装置。
【請求項１６】
請求項14に記載の装置であって、
前記制御部調整部は、セカンダリコンポーネントキャリアに対応するフレーム中の制御情報伝送用の制御シンボルの数をそれ相応に減少させる減少部を更に含む、装置。
【請求項１７】
請求項16に記載の装置であって、
減少部は、さらに、セカンダリコンポーネントキャリアに対応するフレームのうちの１つ又は複数のフレームが制御シンボルを含まないように、セカンダリコンポーネントキャリアに対応するフレーム中の制御情報伝送用の制御シンボルの数を減少させる、装置。
【請求項１８】
請求項14に記載の装置であって、
プライマリコンポーネントキャリアに対応するフレーム中の制御情報伝送用の制御シンボルの数に基づいて、物理制御フォーマット指示チャネルを配置する物理制御フォーマット指示チャネル調整部を更に含む、装置。
【請求項１９】
請求項18に記載の装置であって、
物理制御フォーマット指示チャネル調整部は、物理制御フォーマット指示チャネルにおける、制御シンボルの数を示すためのビット数を配置する、装置。
【請求項２０】
請求項18に記載の装置であって、
物理制御フォーマット指示チャネル調整部は、物理制御フォーマット指示チャネルの、制御シンボルの数に関する指示範囲を調整する、装置。
【請求項２１】
請求項14に記載の装置であって、
増加部は、さらに、プライマリコンポーネントキャリアに対応するフレーム中の制御情報伝送用の制御シンボルの数を増加させ、該フレームに、制御情報伝送用の制御シンボルのみを含めさせる、装置。
【請求項２２】
請求項21に記載の装置であって、
セカンダリコンポーネントキャリアに対応するフレーム中の制御情報伝送用の制御シンボルの数を減少させる減少部を更に含む、装置。
【請求項２３】
請求項22に記載の装置であって、
減少部は、さらに、セカンダリコンポーネントキャリアに対応するフレームのうちの1つ又は複数のフレームが制御シンボルを含まないように、セカンダリコンポーネントキャリアに対応するフレーム中の制御情報伝送用の制御シンボルの数を減少させる、装置。
【請求項２４】
請求項21に記載の装置であって、
物理制御フォーマット指示チャネル調整部は、物理制御フォーマット指示チャネルにおける、制御シンボルの数を示すための部分が占用するリソースをリリースする、装置。
【請求項２５】
プログラムプロダクトであって、
該プログラムプロダクトは、マシン実行可能な命令を含み、情報処理装置により前記命令を実行する時に、前記命令は、前記情報処理装置に、請求項１乃至12に何れか1項に記載の方法を実行させる、プログラムプロダクト。
【請求項２６】
記憶媒体であって、
該記憶媒体は、マシン可読なプログラムコードを含み、情報処理装置により前記プログラムコードを実行する時に、前記プログラムコードは、前記情報処理装置に、請求項１乃至12に何れか1項に記載の方法を実行させる、記憶媒体。
【請求項２７】
請求項13乃至24の何れか1項に記載のクロスキャリアスケジューリング装置を含む、基地局。
【請求項２８】
請求項27に記載の基地局から情報を受信する通信端末であって、
前記通信端末は、受信した、プライマリコンポーネントキャリアに対応するフレーム中の制御情報に基づいて、データ内容を取得する、通信端末。
【請求項２９】
少なくとも１つの請求項27に記載の基地局と、少なくとも１つの請求項28に記載の通信端末と、を含む、通信システム。
【発明の詳細な説明】
【技術分野】
【０００１】
本発明は、通信分野に関する。より具体的に言えば、本発明は、キャリアアグリゲーションにおけるクロスキャリアスケジューリング方法及び装置並びにその関連する端末、基地局及びシステムに関する。
【背景技術】
【０００２】
今のところ、無線通信分野におけるLTE-Aの標準の研究では、キャリアアグリゲーションが研究のホットスポットの１つである。
【０００３】
キャリアアグリゲーションの特徴は、異なるキャリアを呼び出して、データを同時に送信することができることにあり、これにより、データ転送率を向上させることができる。
【０００４】
キャリアアグリゲーションにおけるクロスキャリアスケジューリングでは、１つのキャリアにより、該キャリア及び他の複数のキャリアをスケジューリングすることができる。
【０００５】
クロスキャリアスケジューリングにおける各キャリアは、コンポーネントキャリア（component  carrier：CC）と称される。上述の複数のコンポーネントキャリアでは、その自身及び他のコンポーネントキャリアをスケジューリングし得るキャリアがプライマリコンポーネントキャリアと称され、スケジューリングされる他のキャリアがセカンダリコンポーネントキャリアと称される。
【０００６】
図1は、従来技術におけるクロスキャリアスケジューリングを示す図である。
【０００７】
図1に示すクロスキャリアスケジューリングでは、プライマリコンポーネントキャリア（CC1）により、全てのコンポーネントキャリア（CC1-CC3）をスケジューリングすることができる。
【０００８】
図1に示すように、プライマリコンポーネントキャリア（CC1）に対応するフレームにおける制御部（影付け部分により示されている）を用いて制御情報を伝送することができ、これにより、各キャリアへのスケジューリングを実現することができる。
【０００９】
LTE-A  R8の規定によれば、クロスキャリアスケジューリングでは、フレームにおける制御部が最大で3つの制御シンボルの長さを有し、そのうち、制御シンボルは、例えば、直交周波数分割多重（OFDM）シンボルであっても良い。
【００１０】
コンポーネントキャリアの数が比較的少ないクロスキャリアスケジューリング（例えば、5つ以下）については、サイズが3つの制御シンボルの制御部により、有効のスケジューリングを実現することができる。
【００１１】
より高い通信速度を有する無線通信技術への要求に伴い、クロスキャリアスケジューリングに関与するコンポーネントキャリアの数がますます多くなる可能性があり、例えば、6、7、8又はそれよりも大きい数になる可能性がある。
【００１２】
コンポーネントキャリアの数が増加する場合、ユーザが制御情報を検出する時に行う必要のあるブラインド検出の回数も迅速に増加する。
【００１３】
また、コンポーネントキャリアの数が比較的多い場合、制御情報を伝送するためのフレーム中の制御部が依然として3つの制御シンボルのサイズに限定されれば、ユーザを既にスケジューリングしているとき、制御情報を伝送するためのリソースがないため、ブロッキング（blocking）を引き起こす可能性がある。
【発明の概要】
【発明が解決しようとする課題】
【００１４】
以下、本発明について簡単に概説し、これにより、本発明へのいくつかの側面における基本理解を提供する。理解すべきは、この概説は、本発明の網羅的な説明ではなく、本発明のキーポイント又は重要な部分を確定するためのものではなく、また、本発明の範囲を限定するためのものでもない。また、この概説の目的は、単に、簡単な形式でいくつかの概念を述べることにあり、また、この概説は、後述の更なる説明の前書きとされる。
【００１５】
本発明の目的は、クロスキャリアスケジューリングに関与するコンポーネントキャリアの数の増加に適応することができるクロスキャリアスケジューリング方法及び装置並びにその関連する端末、基地局及びシステムを提供することにある。
【課題を解決するための手段】
【００１６】
本発明の一側面によれば、クロスキャリアスケジューリング方法が提供される。そのうち、クロスキャリアスケジューリングに関与するコンポーネントキャリアの数に基づいて、コンポーネントキャリアに対応するフレームにおける、制御情報を伝送するための制御部のサイズを調整する。その後、調整後の制御部を用いて、クロスキャリアスケジューリングを行う。
【００１７】
本発明の一側面によれば、クロスキャリアスケジューリング装置が提供される。該装置は、制御部調整部及びスケジューリング部を含む。そのうち、制御部調整部は、クロスキャリアスケジューリングに関与するコンポーネントキャリアの数に基づいて、コンポーネントキャリアに対応するフレームにおける、制御情報を伝送するための制御部のサイズを調整することができる。スケジューリング部は、調整後の制御部を用いて、クロスキャリアスケジューリングを行うことができる。
【００１８】
本発明の他の側面によれば、上述のクロスキャリアスケジューリング装置を含む基地局、該基地局から情報を受信し得る通信端末、該端末及び該基地局を含む通信システム、上述のクロスキャリアスケジューリング方法に対応するコンピュータプログラムコード、コンピュータ可読記憶媒体、及びコンピュータプログラムプロダクトが提供される。
【００１９】
分かるように、本発明の実施例では、クロスキャリアスケジューリングに関与するコンポーネントキャリアの数に基づいて、フレームにおける、制御情報を伝送するための制御部のサイズを調整し、制御部のサイズをコンポーネントキャリアの数に適応させることにより、ユーザが自分の制御情報を検出する時に行う必要のあるブラインド検出の回数を減らし、且つ、制御情報を伝送するためのリソースがないことによるブロッキングを避けることができる。
【図面の簡単な説明】
【００２０】
【図１】従来技術におけるクロスキャリアスケジューリングを示す図である。
【図２】本発明の一実施例によるクロスキャリアスケジューリング方法のフローチャートである。
【図３】本発明の他の実施例によるクロスキャリアスケジューリング方法のフローチャートである。
【図４】本発明の他の実施例によるクロスキャリアスケジューリング方法のフローチャートである。
【図５】本発明の他の実施例によるクロスキャリアスケジューリング方法のフローチャートである。
【図６】本発明の一実施例によるクロスキャリアスケジューリング装置を示す図である。
【図７】本発明の他の実施例によるクロスキャリアスケジューリング装置を示す図である。
【図８】本発明の他の実施例によるクロスキャリアスケジューリング装置を示す図である。
【図９】本発明の他の実施例によるクロスキャリアスケジューリング装置を示す図である。
【図１０】本発明の実施例による方法及び/又は装置を実現し得る汎用パーソナルコンピュータの例示的な構造のブロック図である。
【発明を実施するための形態】
【００２１】
以下、添付した図面を参照しながら本発明の例示的な実施例について説明を行う。簡潔且つ明確にするために、本明細書では、実際の実施形態の全ての特徴を記載しない。しかし、理解すべきは、この種の任意の実際の実施形態を開発する過程で、開発者の具体的な目標を実現するために、実施形態に特定される多くの決定をしなければならない。例えば、システム及び業務に関する制限条件に合致する必要があり、また、これらの制限条件は、実施形態が異なるにつれて変化する可能性もある。更に理解すべきは、開発の仕事が非常に複雑且つ時間のかかるものであるが、本開示の内容から利益を得る当業者にとって、この種の開発の仕事がきまりどおり行うものだけである。
【００２２】
ここで更に説明する必要がある点は、不必要な細部により本発明をあいまいにすることを避けるために、図面には、本発明による技術案と密に関する装置の構造及び/又は処理のステップのみを示し、本発明と関係の大きくない他の細部を省略する。
【００２３】
図2は、本発明の一実施例によるクロスキャリアスケジューリング方法のフローチャートである。
【００２４】
図2に示すように、該実施例によるクロスキャリアスケジューリング方法では、まず、ステップS202にて、制御情報を伝送するためのフレーム中の制御部のサイズを調整する。
【００２５】
例えば、クロスキャリアスケジューリングに関与するコンポーネントキャリアの数に基づいて、各コンポーネントキャリアに対応する各フレームのうちの１つ又は複数のフレームの制御部のサイズを調整することができる。
【００２６】
続いて、ステップS204にて、調整後の制御部を利用して、クロスキャリアスケジューリングを行う。
【００２７】
例えば、プライマリコンポーネントキャリアに対応する調整後のフレーム中の制御部を利用して、各フレームを制御するための制御情報を伝送することにより、クロスキャリアスケジューリングを実現することができる。
【００２８】
上述の実施例では、分かるように、コンポーネントキャリアの数に基づいて、プライマリコンポーネントキャリアに対応するフレーム中の制御部サイズを調整することにより、プライマリコンポーネントキャリアに対応するフレーム中の制御部を、クロスキャリアスケジューリングに関与するコンポーネントキャリアの数に適応させることができる。
【００２９】
これによって、クロススケジューリングプロセスにおいて、スケジューリングのコンポーネントキャリアの数が比較的多く、プライマリコンポーネントキャリアに対応するフレーム中の制御部が比較的小さいことによるブロッキングを避けることができる。
【００３０】
上述の方法では、制御情報を伝送するためのフレームにおける制御部のサイズを調整する処理が、フレームにおける制御シンボルの数を調整することにより実現され得る。
【００３１】
例えば、本発明の一実施例では、プライマリコンポーネントキャリアに対応するフレーム中の、制御情報を伝送するための制御シンボルの数を増大することができる。
【００３２】
図3は、本発明の一実施例によるクロスキャリアスケジューリング方法のフローチャートである。
【００３３】
図3に示すように、ステップS302にて、プライマリコンポーネントキャリアに対応するフレーム中の、制御情報を伝送するための制御シンボルの数を増大する。
【００３４】
LTE-A  R8の標準では、制御情報を伝送するためのフレーム中の制御部の長さが、3つの制御シンボル（即ち、OFDMシンボル）の長さに限定されている。このような制御部の長さは、好適に、コンポーネントキャリアの数が比較的少ない場合に適合し、例えば、スケジューリングされるコンポーネントキャリアの数が5以下である場合に適合する。
【００３５】
ところが、本発明の実施例では、より大きい数のコンポーネントキャリアに適応し、比較的多いコンポーネントキャリアによるブロッキングを避けるために、プライマリコンポーネントキャリアに対応するフレーム中の制御部に含まれる制御シンボルの数を増大することができる。
【００３６】
好ましくは、プライマリコンポーネントキャリアに対応するフレーム中の制御部に含まれる制御シンボルの数を3以上まで増やすことができ、例えば、制御シンボルの数は、4、5、6、7、又は3よりも大きい他の整数であってもよい。
【００３７】
一例として、プライマリコンポーネントキャリアに対応するフレーム中の制御部の長さがフレーム全体の長さと同じであるようになってよい。言い換えると、該フレームは、制御情報を伝送するための制御シンボル（例えば、OFDMシンボル）のみを含み、データ内容を含まなくてもよい。それ相応に言えば、該フレームに対応するコンポーネントキャリアは、制御情報を伝送するための専用コンポーネントキャリアであってもよい。
【００３８】
再び図3を参照するに、続いて、ステップS304にて、調整後の制御部を利用してクロスキャリアスケジューリングを行う。
【００３９】
具体的に言えば、プライマリコンポーネントキャリアに対応するフレーム中の、数が増加した制御シンボルを利用して、制御情報を伝送することにより、クロスキャリアスケジューリングを実現する。
【００４０】
上述のクロスキャリアスケジューリング方法では、プライマリコンポーネントキャリアに対応するフレームの制御部における制御シンボルの数が増加したので、該フレームの制御部を用いて、より多くの制御情報を伝送することができ、これにより、より多くのコンポーネントキャリアをスケジューリングすることができる。よって、制御情報を伝送するためのリソースがないことによるブロッキングを避けることができる。
【００４１】
本発明の他の実施例では、本発明によるクロスキャリアスケジューリング方法は、セカンダリコンポーネントキャリアに対応するフレームにおいて制御情報を伝送するための制御部のサイズを減少させる処理を更に含んでもよい。
【００４２】
図4は、該実施例によるクロスキャリアスケジューリング方法のフローチャートである。
【００４３】
図4に示すように、ステップS402にて、プライマリコンポーネントキャリアに対応するフレーム中の、制御情報を伝送するための制御シンボルの数を増加させてもよい。
【００４４】
ステップS402での処理は、上述のステップS302での処理と類似してもよいので、ここでは、明細書の記載を簡潔にするために、その説明を省略する。
【００４５】
続いて、ステップS404にて、それ相応に、セカンダリコンポーネントキャリアに対応するフレーム中の、制御情報を伝送するための制御部のサイズを調整してもよい。
【００４６】
例えば、プライマリコンポーネントキャリアに対応するフレーム中の、制御情報を伝送するための制御シンボルの数が増加した場合、それ相応に、セカンダリコンポーネントキャリアに対応するフレーム中の、制御情報を伝送するため制御部のサイズを減少させてもよい。
【００４７】
LTE-A  R8の協議の規定によれば、制御情報を伝送するためのフレーム中の制御部のサイズが3つの制御シンボル（即ち、OFDMシンボル）のサイズに限定されている。例えば、帯域幅が10RBよりも大きい時は、第1、2、3個のOFDMシンボルであってもよく、帯域幅が10RB以下である時は、第2、3、4個のOFDMシンボルであってもよい。
【００４８】
ところが、本実施例では、具体的に言えば、例えば、セカンダリコンポーネントキャリアに対応するフレーム中の、制御情報を伝送するための制御部のサイズを、1つの制御シンボル又は2つの制御シンボルまで減少させてもよい。或いは、セカンダリコンポーネントキャリアに対応するフレーム中の制御部をキャンセル（取り消し）し、セカンダリコンポーネントキャリアに対応するフレームがデータ内容のみを含むようにさせてもよい。
【００４９】
このようにして、セカンダリコンポーネントキャリアに対応するフレームに、より多くのデータ内容を載せさせることができ、これにより、データ伝送の効率を更に向上させることができる。
【００５０】
続いて、ステップS406にて、クロスキャリアスケジューリングを行ってもよい。具体的に言えば、プライマリコンポーネントキャリアに対応するフレーム中の制御部に含まれる制御情報を利用して、クロスキャリアスケジューリングを行う。
【００５１】
分かるように、上述の実施例では、セカンダリコンポーネントキャリアに対応するフレーム中の制御部のサイズを対応して減少させることにより、セカンダリコンポーネントキャリアに対応するフレームに、より多くのデータ内容を載せさせることができ、これにより、データ伝送の効率を更に向上させることができる。
【００５２】
本発明の他の実施例では、クロスキャリアスケジューリング方法が、物理制御フォーマット指示チャネル（Physical  Control  Format  Indicator  Channel）を配置（configure）する処理を更に含んでもよく、そのうち、物理制御フォーマット指示チャネル中の一部は、プライマリコンポーネントキャリアに対応するフレーム中の制御部のサイズを示すための情報を含む。
【００５３】
図5は、本発明の実施例によるクロスキャリアスケジューリング方法のフローチャートである。
【００５４】
図5に示すように、ステップS502にて、プライマリコンポーネントキャリアに対応するフレーム中の、制御情報を伝送するための制御シンボルの数を増加させてもよい。
【００５５】
ステップS502での処理は、上述のステップS302、S402での処理と類似してもよいので、ここでは、明細書の記載を簡潔にするために、その説明を省略する。
【００５６】
続いて、ステップS504にて、物理制御フォーマット指示チャネルが調整後のフレーム中の制御シンボルの数を示すことができるように、物理制御フォーマット指示チャネルを配置する。
【００５７】
続いて、ステップS506にて、調整後の制御部を用いてクロスキャリアスケジューリングを行う。
【００５８】
分かるように、物理制御フォーマット指示チャネルを再配置することで、調整後のフレーム中の制御シンボルの数を示すことにより、ユーザがプライマリコンポーネントキャリアに対応するフレーム中の調整後の制御部のサイズをタイミングよく確定して、制御情報を取得し得るようにさせることができる。よって、クロスキャリアスケジューリングの実現を促進することができる。
【００５９】
上述の方法では、各種の適切な方式で、物理制御フォーマット指示チャネルを再配置することができる。
【００６０】
例えば、本発明の一実施例では、物理制御フォーマット指示チャネルの、フレーム中の制御シンボルの数を示すためのビット数を調整する方式で、物理制御フォーマット指示チャネルを再調整することができる。
【００６１】
LTE-A  R8の標準では、プライマリコンポーネントキャリアに対応するフレーム中の制御シンボルの数が3であり、物理制御フォーマット指示チャネル中の、フレーム中の制御シンボルの数を示すためのビット数が2である。具体的に言えば、この2つのビットは、合計4つの組み合わせを有し、そのうち、1つの組み合わせは保留され、他の3つの組み合わせは、それぞれ、フレーム中の制御シンボルの数が1、2、3であることを示すことができ、例えば、00の組み合わせは預留され、01、10、11の組み合わせは、それぞれ、フレーム中の制御シンボルの数が1、2、3であることを示す。
【００６２】
プライマリコンポーネントキャリアに対応するフレーム中の制御シンボルの数が3以上まで増加した場合、2つのビットのサイズによりフレーム中の制御シンボルの数を示すことがもうできない。
【００６３】
フレーム中の制御シンボルの数を示すことができるために、本実施例では、プライマリコンポーネントキャリアに対応するフレーム中の制御シンボルの数に基づいて、それ相応に、物理制御フォーマット指示チャネルを再配置することができ、具体的に言えば、物理制御フォーマット指示チャネルにおける、フレーム中の制御シンボルの数を示すためのビット数を増大することにより、調整後の物理制御フォーマット指示チャネルがプライマリコンポーネントキャリアに対応するフレーム中の増大後の制御シンボルの数を示し得るようにさせることができる。
【００６４】
例えば、プライマリコンポーネントキャリアに対応するフレーム中の制御シンボルの数が6まで増加した時に、それ相応に、物理制御フォーマット指示チャネルにおける、制御シンボルの数を示すためのビット数を3に調整してもよい。この場合、例えば、000の組み合わせは保留され、001、010、011、100、101、110、111の組み合わせは、それぞれ、フレーム中の制御シンボルの数が1、2、3、4、5、6、7であることを示す。
【００６５】
そのうち、調整後の物理制御フォーマット指示チャネルの、プライマリコンポーネントキャリアに対応するフレーム中の制御シンボルの数に関する指示範囲は1〜7である。例えば、物理制御フォーマット指示チャネル中の、プライマリコンポーネントキャリアに対応するフレーム中の制御シンボルの数を示すためのビットが110である状態の時は、プライマリコンポーネントキャリアに対応する現在のフレーム中の制御シンボルの数が6であることを表す。
【００６６】
また、物理制御フォーマット指示チャネル中の関連部分（プライマリコンポーネントキャリアに対応するフレーム中の部分を示すための部分）のビット数を調整して、物理制御フォーマット指示チャネルを再配置する上述の処理は、ただの例のみであり、本発明は、これに限定されない。例えば、本発明の他の実施例では、物理制御フォーマット指示チャネルの関連部分の指示範囲を再設置する方式で、物理制御フォーマット指示チャネルを再配置することもできる。
【００６７】
上述のように、LTE-A  R8の標準では、物理制御フォーマット指示チャネルにおける、プライマリコンポーネントキャリアに対応するフレーム中の制御シンボルの数を示す部分が占めるリソースのサイズが2つのビットであり、その指示範囲が1〜3個の制御シンボルである。
【００６８】
プライマリコンポーネントキャリアに対応するフレーム中の制御シンボルの数が3以上まで増加した場合、それ相応に、物理制御フォーマット指示チャネルにおける、プライマリコンポーネントキャリアに対応するフレーム中の制御シンボルの数を示すための部分（即ち、2つのビット）の指示範囲を調整することができるが、依然としてこの2つのビットを用いて、制御シンボルの数を示す。
【００６９】
例えば、プライマリコンポーネントキャリアに対応するフレーム中の制御シンボルの数が6まで増加した場合、物理制御フォーマット指示チャネル中の2つのビットを用いて、制御シンボルの数を示すことができる。具体的に言えば、例えば、物理制御フォーマット指示チャネル中のこの2つのビットによる指示範囲を4〜6に設置してもよい。例えば、この2つのビットによる4つの組み合わせのうち、00の組み合わせは保留され、01、10、11の組み合わせは、それぞれ、フレーム中の制御シンボルの数が4、5、6であることを示す。
【００７０】
よって、物理制御フォーマット指示チャネルの関連部分の指示範囲を再配置することにより、占用リソースを増加させない場合、2つのビットのみで、多くの制御シンボルを示すことができる。
【００７１】
上述の2種類の物理制御フォーマット指示チャネルの配置方式は、ただの例のみであり、本発明は、これらに限定されない。例えば、本発明の他の実施例では、プライマリコンポーネントキャリアに対応するフレームに制御シンボルのみが含まれてデータ内容が含まれない場合、物理制御フォーマット指示チャネル中の関連部分（プライマリコンポーネントキャリアに対応するフレーム中の制御シンボルの数を示す部分）が占用するリソースを直接リリースすることもできる。
【００７２】
具体的に言えば、プライマリコンポーネントキャリアに対応するフレームに制御シンボルのみが含まれ、即ち、制御情報を伝送するための専用コンポーネントキャリアが存在する場合、ユーザは、該キャリアに対応するフレームから制御情報を直接取得することができ、物理制御フォーマット指示チャネルの関連部分により制御情報の数を取得する必要がもうないので、物理制御フォーマット指示チャネル中の関連部分（プライマリコンポーネントキャリアに対応するフレーム中の制御シンボルの数を示すための部分）を使用しなくてもよい。
【００７３】
この場合、物理制御フォーマット指示チャネル中の関連部分（プライマリコンポーネントキャリアに対応するフレーム中の制御シンボルの数を示すための部分）が占用するリソースをリリースすることができ、これにより、クロスキャリアスケジューリングに用いるリソースを更に節約することができる。
【００７４】
上述の方法の他に、本発明は、クロスキャリアスケジューリング装置をも提供する。
【００７５】
図6は、本発明の一実施例によるクロスキャリアスケジューリング装置を示す図である。
【００７６】
図6に示すように、本発明の実施例によるクロスキャリアスケジューリング装置は、制御部調整部602及びスケジューリング部604を含む。
【００７７】
制御部調整部602は、コンポーネントキャリアに対応するフレーム中の、制御情報を伝送するための制御部のサイズを調整することができる。具体的に言えば、クロスキャリアスケジューリングに関与するコンポーネントキャリアの数に基づいて、各コンポーネントキャリアに対応する各フレーム中の１つ又は複数のフレームの制御部のサイズを調整することができる。例えば、制御部調整部602は、クロスキャリアスケジューリングに関与するコンポーネントキャリアの数に基づいて、プライマリコンポーネントキャリアに対応するフレーム中の制御部のサイズを調整することができる。
【００７８】
また、スケジューリング部604は、調整後の制御部を用いて、クロスキャリアスケジューリングを行うことができる。
【００７９】
具体的に言えば、スケジューリング部604は、プライマリコンポーネントキャリアに対応するフレーム中の調整後の制御部を利用して、各フレームを制御するための制御情報を伝送することができ、これにより、クロスキャリアスケジューリングを実現する。
【００８０】
分かるように、上述の実施例によるクロスキャリアスケジューリング装置では、コンポーネントキャリアの数に基づいて、プライマリコンポーネントキャリアに対応するフレーム中の制御部サイズを調整することにより、プライマリコンポーネントキャリアに対応するフレーム中の制御部を、クロスキャリアスケジューリングに関与するコンポーネントキャリアの数に適応させることができる。
【００８１】
これによって、クロススケジューリングプロセスにおいてスケジューリングのコンポーネントキャリア数が比較的多く、フレーム中の制御部が比較的小さいことによるブロッキングを避けることができる。
【００８２】
上述のクロスキャリアスケジューリング装置では、制御部調整部602が、フレーム中の制御シンボルの数を調整することにより、フレーム中の、制御情報を伝送するための制御部のサイズを調整することができる。
【００８３】
例えば、本発明の一実施例では、制御部調整部が増加部を含んでもよく、増加部は、プライマリコンポーネントキャリアに対応するフレーム中の、制御情報を伝送するための制御シンボルの数を増大することができる。
【００８４】
図7は、本発明の一実施例によるクロスキャリアスケジューリング装置を示す図である。
【００８５】
図7に示すように、クロスキャリアスケジューリング装置700は、制御部調整部702及びスケジューリング部704を含む。
【００８６】
そのうち、制御部調整部702は増加部を含み、該増加部は、プライマリコンポーネントキャリアに対応するフレーム中の、制御情報を伝送するための制御シンボルの数を増大することができる。
【００８７】
好ましくは、該増加部は、フレーム中の制御部に含まれる制御シンボルの数を3以上まで増加させてもよく、例えば、制御シンボルの数は、4、5、6、7、又は他の3よりも大きい整数まで増加してもよい。
【００８８】
一例として、該増加部は、フレーム中の制御部の長さを、フレーム全体の長さと等しく増加させてもよい。言い換えると、該フレームは、制御情報を伝送するための制御シンボル（例えば、OFDMシンボル）のみを含むが、データ内容を含まない。それ相応に言えば、該フレームに対応するコンポーネントキャリアは、制御情報を伝送するための専用コンポーネントキャリアであってもよい。
【００８９】
再び図7を参照するに、スケジューリング部704は、制御部調整部702により調整された後の制御部を用いて、クロスキャリアスケジューリングを行う。
【００９０】
具体的に言えば、プライマリコンポーネントキャリアに対応するフレーム中の、数が増加した制御シンボルを用いて、制御情報を伝送することにより、クロスキャリアスケジューリングを実現する。
【００９１】
上述のクロスキャリアスケジューリング装置では、制御部中の制御シンボルの数が増加したので、制御部によって、より多くの制御情報を伝送することができ、これにより、より多くのコンポーネントキャリアをスケジューリングすることができる。よって、制御情報を伝送するためのリソースがないことによるブロッキングを避けることができる。
【００９２】
本発明の他の実施例では、本発明によるクロスキャリアスケジューリング装置において、制御部調整部が減少部を含んでもよく、該減少部は、それ相応に、セカンダリコンポーネントキャリアに対応するフレームにおいて、制御情報を伝送するための制御部のサイズを減少させることができる。
【００９３】
図8は、本発明の一実施例によるクロスキャリアスケジューリング装置を示す図である。
【００９４】
図8に示すように、クロスキャリアスケジューリング装置800は、制御部調整部802及びスケジューリング部804を含む。そのうち、制御部調整部802は、増加部及び減少部を含んでもよい。
【００９５】
そのうち、増加部は、上述の増加部と類似してもよいので、ここでは、明細書を簡潔にするために、その説明を省略する。
【００９６】
制御部調整部802中の減少部は、それ相応に、セカンダリコンポーネントキャリアに対応するフレーム中の、制御情報を伝送するための制御部のサイズを減少させることができる。
【００９７】
具体的に言えば、増加部によりプライマリコンポーネントキャリアに対応するフレーム中の、制御情報を伝送するため制御シンボルの数を増加させた場合、減少部は、それ相応に、セカンダリコンポーネントキャリアに対応するフレーム中の、制御情報を伝送するための制御部のサイズを減少させることができる。
【００９８】
例えば、減少部は、セカンダリコンポーネントキャリアに対応するフレーム中の、制御情報を伝送するための制御部のサイズを、１つの制御シンボル又は２つの制御シンボルまで減少させることができ、或いは、セカンダリコンポーネントキャリアに対応するフレーム中の制御部をキャンセルし、セカンダリコンポーネントキャリアに対応するフレームに、データ内容のみを含めさせることもできる。
【００９９】
このようにして、セカンダリコンポーネントキャリアに対応するフレームに、より多くのデータ内容を載せさせることができ、これにより、データ伝送の効率を更に向上させることができる。
【０１００】
再び図8を参照するに、スケジューリング部804は、制御部調整部802により調整された後の制御部を用いて、クロスキャリアスケジューリングを行う。
【０１０１】
具体的に言えば、スケジューリング部804は、プライマリコンポーネントキャリアに対応するフレーム中の、数が増加部により増加した制御シンボルにより伝送された制御情報を用いて、クロスキャリアスケジューリングを行う。
【０１０２】
分かるように、上述の装置では、減少部が、それ相応に、セカンダリコンポーネントキャリアに対応するフレーム中の制御部のサイズを減少させることで、セカンダリコンポーネントキャリアに対応するフレームに、より多くのデータ内容を載せさせることができ、これにより、データ伝送の効率を更に向上させることができる。
【０１０３】
本発明の他の実施例では、クロスキャリアスケジューリング装置が物理制御フォーマット指示チャネル調整部を更に含んでもよく、該物理制御フォーマット指示チャネル調整部は、調整後の制御部中の制御シンボルの数に適応するように、物理制御フォーマット指示チャネルを配置することができる。そのうち、物理制御フォーマット指示チャネルには、プライマリコンポーネントキャリアに対応するフレーム中の制御部のサイズを示すための部分が含まれる。
【０１０４】
図9は、本発明の一実施例によるクロスキャリアスケジューリング装置を示す図である。
【０１０５】
図9に示すように、クロスキャリアスケジューリング装置900は、制御部調整部902、スケジューリング部904、及び物理制御フォーマット指示チャネル調整部906を含んでもよい。
【０１０６】
そのうち、制御部調整部902、スケジューリング部904の具体的な結構及び機能は、それぞれ、上述の制御部調整部、スケジューリング部と類似してもよいので、ここでは、明細書を簡潔にするために、その説明を省略する。
【０１０７】
図9に示すように、物理制御フォーマット指示チャネル調整部906は、物理制御フォーマット指示チャネルを再配置することができ、これにより、調整後の、プライマリコンポーネントキャリアに対応するフレーム中の制御シンボルの数に適応させることができる。
【０１０８】
分かるように、物理制御フォーマット指示チャネルを再配置し、調整後の、プライマリコンポーネントキャリアに対応するフレーム中の制御シンボルの数に適応させることにより、ユーザが調整後の、プライマリコンポーネントキャリアに対応するフレーム中の制御部のサイズをタイミングよく確定して、制御情報を取得し得るようにさせることができる。よって、クロスキャリアスケジューリングの実現を促進することができる。
【０１０９】
上述の装置では、物理制御フォーマット指示チャネル調整部906が、各種の適切な方式で、物理制御フォーマット指示チャネルを再配置することができる。
【０１１０】
例えば、本発明の一実施例では、物理制御フォーマット指示チャネル調整部が、物理制御フォーマット指示チャネルの関連部分（プライマリコンポーネントキャリアに対応するフレーム中の制御シンボルの数を示す部分）のビット数を調整する方式で、物理制御フォーマット指示チャネルを再配置することができる。
【０１１１】
LTE-A  R8の標準では、プライマリコンポーネントキャリアに対応するフレーム中の制御シンボルの数が3であり、物理制御フォーマット指示チャネルにおける、フレーム中の制御シンボルの数を示すための部分のサイズが２つのビットである。
【０１１２】
具体的に言えば、この2つのビットは、合計４つの組み合わせを有し、そのうち、１つの組み合わせは保留され、他の３つの組み合わせは、それぞれ、フレーム中の制御シンボルの数が1、2、3であることを示すことができ、例えば、00の組み合わせは保留され、01、10、11の組み合わせは、それぞれ、フレーム中の制御シンボルの数が1、2、3であることを示す。
【０１１３】
プライマリコンポーネントキャリアに対応するフレーム中の制御シンボルの数が3以上まで増加した場合、物理制御フォーマット指示チャネルにおける、サイズが2つのビットである関連部分（プライマリコンポーネントキャリアに対応するフレーム中の制御シンボルの数を示すための部分）により、フレーム中の制御シンボルの数を示すことがもうできない。
【０１１４】
フレーム中の制御シンボルの数を示すことができるために、本実施例では、物理制御フォーマット指示チャネル調整部が、プライマリコンポーネントキャリアに対応するフレーム中の制御シンボルの数に基づいて、それ相応に、物理制御フォーマット指示チャネルの関連部分（プライマリコンポーネントキャリアに対応するフレーム中の制御シンボルの数を示すための部分）のサイズを調整することにより、調整後の物理制御フォーマット指示チャネルの関連部分（プライマリコンポーネントキャリアに対応するフレーム中の制御シンボルの数を示すための部分）がプライマリコンポーネントキャリアに対応するフレーム中の増大後の制御シンボルの数を示し得るようにさせることができる。
【０１１５】
例えば、プライマリコンポーネントキャリアに対応するフレーム中の制御シンボルの数が6まで増加した時に、物理制御フォーマット指示チャネル調整部は、それ相応に、物理制御フォーマット指示チャネルの関連部分（プライマリコンポーネントキャリアに対応するフレーム中の制御シンボルの数を示すための部分）のサイズを3つのビットに調整することができる。この場合、例えば、000の組み合わせは保留され、001、010、011、100、101、110、111の組み合わせは、それぞれ、フレーム中の制御シンボルの数が1、2、3、4、5、6、7であることを示す。
【０１１６】
また、本発明の他の実施例では、物理制御フォーマット指示チャネル調整部が、物理制御フォーマット指示チャネルの関連部分（プライマリコンポーネントキャリアに対応するフレーム中の制御シンボルの数を示すための部分）の指示範囲を再設置する方式で、物理制御フォーマット指示チャネルを再配置することもできる。
【０１１７】
上述のように、LTE-A  R8の標準では、物理制御フォーマット指示チャネルにおける、プライマリコンポーネントキャリアに対応するフレーム中の制御シンボルの数を示すための部分が占用するリソースのサイズが2つのビットであり、その指示範囲は、1〜3個の制御シンボルである。
【０１１８】
プライマリコンポーネントキャリアに対応するフレーム中の制御シンボルの数が3以上まで増加した場合、物理制御フォーマット指示チャネル調整部は、それ相応に、関連部分（プライマリコンポーネントキャリアに対応するフレーム中の制御シンボルの数を示すための部分）の指示範囲を調整することができるが、該部分のサイズを変更しない。
【０１１９】
例えば、プライマリコンポーネントキャリアに対応するフレーム中の制御シンボルの数が6まで増加した時に、物理制御フォーマット指示チャネル調整部は、2つのビットを用いて、この2つのビットによる指示範囲を変えることにより、制御シンボルの数を示すことができる。
【０１２０】
具体的に言えば、物理制御フォーマット指示チャネル調整部は、物理制御フォーマット指示チャネル中の2つのビットを用いて、範囲が4〜6である制御シンボルを示すことができる。例えば、この2つのビットによる４つの組み合わせのうち、00の組み合わせは保留され、01、10、11の組み合わせは、それぞれ、フレーム中の制御シンボルの数が4、5、6であることを示す。
【０１２１】
よって、物理制御フォーマット指示チャネル調整部は、物理制御フォーマット指示チャネルの関連部分（プライマリコンポーネントキャリアに対応するフレーム中の制御シンボルの数を示す部分）の指示範囲を再配置することにより、占用リソースを増加させない場合、依然として物理制御フォーマット指示チャネル中の2つのビットを用いて、比較的多くの制御シンボルを示すことができる。
【０１２２】
上述の２種類の物理制御フォーマット指示チャネルの配置方式は、ただの例のみであり、本発明は、これらに限定されない。例えば、本発明の他の実施例では、プライマリコンポーネントキャリアに対応するフレームに制御シンボルのみが含まれてデータ内容が含まれない場合、物理制御フォーマット指示チャネル調整部は、他の方式で物理制御フォーマット指示チャネルを配置することもできる。
【０１２３】
プライマリコンポーネントキャリアに対応するフレームに制御シンボルのみが含まれ、即ち、制御情報を伝送するための専用コンポーネントキャリアが存在する場合、ユーザは、該キャリアに対応するフレームから制御情報を直接取得することができ、物理制御フォーマット指示チャネルの指示に従って情報を取得する必要がないので、物理制御フォーマット指示チャネルの関連部分（プライマリコンポーネントキャリアに対応するフレーム中の制御シンボルの数を示すための部分）を使用してなくてもよい。
【０１２４】
この場合、物理制御フォーマット指示チャネル調整部は、物理制御フォーマット指示チャネルの関連部分（プライマリコンポーネントキャリアに対応するフレーム中の制御シンボルの数を示すための部分）が占用するビットをリリースすることができ、これにより、クロスキャリアスケジューリングに用いるリソースを更に節約することができる。
【０１２５】
また、本発明は、基地局をも提供する。この基地局は、上述の任意の実施例によるクロスキャリアスケジューリング装置を含む。
【０１２６】
よって、クロスキャリアスケジューリングにおけるコンポーネントキャリアの数が比較的大きい場合、該基地局は、制御情報を伝送するためのリソースがないことによるブロッキングを避けることができる。
【０１２７】
また、本発明は、更に、通信端末をも提供する。この通信端末は、上述の基地局から情報を受信することができる。そのうち、基地局から情報を受信した後に、通信端末は、受信した、プライマリコンポーネントキャリアに対応するフレーム中の制御情報により、データ内容を取得することができる。
【０１２８】
よって、クロスキャリアスケジューリングにおけるコンポーネントキャリアの数が比較的大きい場合、該通信端末は、制御情報を伝送するためのリソースがないことによるブロッキングを避けることができる。
【０１２９】
さらに、本発明は、通信システムをも提供する。該通信システムは、少なくとも一つの基地局及び少なくとも一つの通信端末を含み、そのうち、上述の基地局は、上述の任意の実施例によるクロスキャリアスケジューリング装置を含んでもよく、上述の通信端末は、上述の任意の実施例によるクロスキャリアスケジューリング装置を含んでもよい。
【０１３０】
よって、該通信システムでは、クロスキャリアスケジューリングにおけるコンポーネントキャリアの数が比較的大きい場合、制御情報を伝送するためのリソースがないことによるブロッキングを避けることができる。
【０１３１】
また、理解すべきは、本文に記載の各種の例及び実施例は全て例示的なものであり、本発明は、これらに限定されない。本明細書における“第一”、“第二”等の用語は、本発明を明確に説明するように、言及する特徴を文字上で区分するためだけのものであるので、限定的意味を有するものと見なすべきではない。
【０１３２】
上述の装置中の各構成モジュール、ユニットは、ソフトウェア、ファームウェア、ハードウェア、又はそれらの組み合わせの方式で構成され得る。このような構成に使用可能な具体的な手段又は方式は、当業者によく知られているので、ここでは、その説明を省略する。ソフトウェア又はファームウェアによる実現する場合、記憶媒体又はネットワークから、専用ハードウェア結構を有するコンピュータ（例えば、図10に示す汎用コンピュータ1000）に、該ソフトウェアを構成するプログラムをインストールし、該コンピュータは、各種のプログラムがインストールされている時に、各種の機能等を実行することができる。
【０１３３】
図10では、中央処理ユニット(CPU）1001が、読み出し専用メモリ(ROM）1002に保存されたプログラム又は記憶部1008からランダムアクセスメモリ(RAM）1003にロードされているプログラムに基づいて、各種の処理を行う。RAM  1003は、必要に応じて、CPU  1001が各種の処理を行う時に必要なデータを保存してもよい。CPU  1001、ROM  1002及びRAM  1003は、バス1004により互いに接続される。入力/出力インタフェース1005もバス1004に接続される。
【０１３４】
入力/出力インタフェース1005には、入力部1006（キーボード、マウスなどを含む）、出力部1007（陰極線管（Cathode  Ray  Tube：CRT）や液晶表示器（LCD）などのようなディスプレイ、及びスピーカなどを含む）、記憶部1008（ハードディスクなどを含む）、通信部1009（LANカードのようなネットワークインタフェースカード、モデムなどを含む）が接続される。通信部1009は、インターネットのようなネットワークを介して通信処理を行う。必要に応じて、入力/出力インタフェース1005にドライブ1010も接続される。必要な場合、ドライブ1010に例えば磁気ディスク、光ディスク、磁気光ディスク、半導体メモリなどのような脱着可能な媒体1011が装着されることにより、その媒体から読み出されたコンピュータプログラムが必要に応じて記憶部1008にインストールされる。
【０１３５】
上述した一連の処理をソフトウェアで実現する場合、例えばインターネットのようなネットワーク又は脱着可能な媒体1011のような記憶媒体からソフトウェアを構成するプログラムをインストールすることができる。
【０１３６】
このような記憶媒体は、図10に示すように、プログラムが記憶され、ユーザにプログラムを供給するように装置と別体で配られる脱着可能な媒体1011には限られないことが当業者は理解できるだろう。脱着可能な媒体1011の例として、磁気ディスク(ソフトディスク（登録商標）を含む)、光ディスク(光ディスクロードオンリーメモリ（CD−ROM）及びデジタルバーサティルディスク(DVD)を含む)、磁気光ディスク(ミニディスク（MD）（登録商標）を含む))、半導体メモリが挙げられる。或いは、記憶媒体はプログラムが記憶され且つそれを内蔵する装置とともにユーザに配られるROM  1002、記憶部1008に含まれるハードディスクなどであってもよい。
【０１３７】
また、本発明は、マシン読み取り可能なインストラクションコードを含むプログラムプロダクトも提供する。このインストラクションコードは、マシンにより読み出されて実行される時に、本発明の実施例による上述の方法を実行することができる。
【０１３８】
それ相応に、上述のマシン読み取り可能なインストラクションコードを含むプログラムプロダクトを記憶している記憶媒体も本発明の公開に含まれる。この記憶媒体は、フロッピー(登録商標)ディスク、光ディスク、光磁気ディスク、メモリカード、メモリスティックなどを含むが、これらに限定されない。
【０１３９】
最後に説明すべきは、本文では、「含む」、「包括（有する）」の語又はその他の変形語は、非排他的な「含む」を包括するため用いられ、これにより、一連の要素を含むプロセス、方法、物品又は装置は、これらの要素だけでなく、明記されていない他の要素を含んでもよく、或いは、このプロセス、方法、物品又は装置が所有する固有の要素を含むものである。より多くの限定が無い場合、「・・・を含む」という語句で限定される要素は、この要素を含むプロセス、方法、物品又は装置に存在する他の同じ要素を排除しない。
【０１４０】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2013539306.tif 000003
【図２】
2013539306.tif 000004
【図３】
2013539306.tif 000005
【図４】
2013539306.tif 000006
【図５】
2013539306.tif 000007
【図６】
2013539306.tif 000008
【図７】
2013539306.tif 000009
【図８】
2013539306.tif 000010
【図９】
2013539306.tif 000011
【図１０】
2013539306.tif 000012
【国際調査報告】
2013539306.tif 000013
2013539306.tif 000014
2013539306.tif 000015
2013539306.tif 000016
2013539306.tif 000017
2013539306.tif 000018